(57)【要約】【課題】フットレストを前後方向に調整可能にすることで、背の高い（足の長い）患者でも足先をフットレストの上に置くことができるようにして、患者の疲労感を軽減する。【解決手段】歯科用治療椅子１０は、フットレスト移動用のスイッチ（リモコン１７）を備え、リモコン１７のスイッチ操作により、フットレスト１５を前後方向に調整可能にした。或いは、安頭台１１の引き出し長さを検知し、その引き出し長さに応じて、フットレスト１５の引き出し長さを調整可能にした。【選択図】図１
2011229715.tif 000002
【特許請求の範囲】
【請求項１】
バックレストと、コンターシートと、レッグレストと、フットレストを有し、前記バックレスト、前記コンターシート、前記レッグレスト、前記フットレストを床面に対して平行な倒状態とし、患者を寝状態にして歯科治療を行う歯科用治療椅子において、
前記フットレストを前後方向に移動するフットレスト移動手段と、
フットレスト移動用のスイッチとを備え、
前記歯科用治療椅子を倒状態にした時、前記スイッチの操作により、前記フットレストを前後方向に調整可能にしたことを特徴とする歯科用治療椅子。
【請求項２】
バックレストと、該バックレストに設けられた安頭台と、前記バックレストに対する前記安頭台の引き出し長さを調整する安頭台引き出し長さ調整手段と、コンターシートと、レッグレストと、フットレストを有し、前記バックレスト、前記コンターシート、前記レッグレスト、前記フットレストを床面に対して平行な倒状態とし、患者を寝状態にして歯科治療を行う歯科用治療椅子において、
前記安頭台の引き出し長さを検知する安頭台引き出し長さ検知手段と、
前記フットレストを前後方向に移動するフットレスト移動手段とを備え、
前記歯科用治療椅子を倒状態にした時、前記安頭台引き出し長さ検知手段が検知した前記安頭台の引き出し長さに応じて、前記フットレストの引き出し長さを調整可能にしたことを特徴とする歯科用治療椅子。
【請求項３】
前記フットレスト移動手段は、前記フットレストと一体のフットレスト基板と、該フットレスト基板を前後方向に摺動可能に支持するレールと、前記フットレスト基板を前記レールに沿って前後に移動するシリンダを備えたことを特徴とする請求項１又は２に記載の歯科治療椅子。
【発明の詳細な説明】
【技術分野】
【０００１】
本発明は、歯科用治療椅子、より詳細には、安頭台と、バックレストと、コンターシートと、レッグレストと、フットレストを有し、前記バックレスト、前記コンターシート、前記レッグレスト、前記フットレストを床面に対して平行な倒状態とし、患者を寝状態にして歯科治療を行う歯科用治療椅子において、歯科用治療椅子を倒状態にした時、フットレストを前後方向に調整可能にすることで、患者を寝状態にして治療をする際に、背の高い（足の長い）患者でも、フット（足先）がフットレストからはみ出すことなくフットレストの上に置くことができるようにした歯科用治療椅子に関する。
【背景技術】
【０００２】
図６は、本発明が適用される歯科用治療椅子の一例を説明するための要部概略構成図で、図中、１０は歯科用治療椅子、１１は安頭台、１２はバックレスト、１３はコンターシート、１４はレッグレスト、１５はフットレスト（フットステップ）、１６は基台で、周知のように、常時は、歯科用治療椅子１０は、起状態にあり、この状態で患者は、フットレスト１５の上に乗って、その後、コンターシート１３に腰掛ける。
【０００３】
図７は、歯科用治療椅子１０の側面概略図である。図７（Ａ）は、起状態の歯科用治療椅子１０のコンターシート１３に患者が腰掛けた状態を示し、図７（Ｂ）は、倒状態の歯科用治療椅子１０において患者が寝状態にあることを示す。
【０００４】
歯科治療に当たり、図７（Ａ）に示すように、患者が歯科用治療椅子１０に座ると、アシスタント、術者（ドクター）は、安頭台１１を引き出し或いは縮めて、安頭台１１の位置を患者の頭の位置に合わせる。
【０００５】
そして、術者は、歯科用治療椅子１０を上下動させて歯科治療を行ったり、或いは、図７（Ｂ）に示すように、治療椅子１０を倒状態にして患者を寝状態にして歯科治療を行う。なお、治療椅子１０を倒状態にすると、バックレスト１２が矢印Ａ方向に動くと共に、レッグレスト１４が矢印Ｂ方向に動き、更に、フットレスト１５が矢印Ｃ方向に動き、バックレスト１２、コンターシート１３、レッグレスト１４、フットレスト１５が床面に対して平行な倒状態となる。
【発明の概要】
【発明が解決しようとする課題】
【０００６】
ところで、起状態の治療椅子１０に背の高い患者が腰掛けた状態（図７（Ａ）参照）から、治療椅子１０を倒状態にすると（図７（Ｂ）参照）、背の高い患者は一般に足が長いので、図７（Ｂ）の符号Ｄに示すように、患者の足先がフットレスト１５からはみ出してしまう。このように、患者の足先がフットレスト１５によってサポート（保持）されないと、患者の疲労感が増す。
【０００７】
本発明は、上述のごとき実情に鑑みてなされたもので、安頭台と、バックレストと、コンターシートと、レッグレストと、フットレストを有し、前記バックレスト、前記コンターシート、前記レッグレスト、前記フットレストを床面に対して平行な倒状態とし、患者を寝状態にして歯科治療を行う歯科用治療椅子において、歯科用治療椅子を倒状態にした時、フットレストを前後方向に調整可能にすることで、背の高い（足の長い）患者でも足先をフットレストの上に置くことができるようにして、患者の疲労感を軽減することを目的としてなされたものである。
【課題を解決するための手段】
【０００８】
上記課題を解決するために、本発明の請求項１の発明は、バックレストと、コンターシートと、レッグレストと、フットレストを有し、前記バックレスト、前記コンターシート、前記レッグレスト、前記フットレストを床面に対して平行な倒状態とし、患者を寝状態にして歯科治療を行う歯科用治療椅子において、前記フットレストを前後方向に移動するフットレスト移動手段と、フットレスト移動用のスイッチとを備え、前記歯科用治療椅子を倒状態にした時、前記スイッチの操作により、前記フットレストを前後方向に調整可能にしたことを特徴とするものである。
【０００９】
請求項２の発明は、バックレストと、該バックレストに設けられた安頭台と、前記バックレストに対する前記安頭台の引き出し長さを調整する安頭台引き出し長さ調整手段と、コンターシートと、レッグレストと、フットレストを有し、前記バックレスト、前記コンターシート、前記レッグレスト、前記フットレストを床面に対して平行な倒状態とし、患者を寝状態にして歯科治療を行う歯科用治療椅子において、前記安頭台の引き出し長さを検知する安頭台引き出し長さ検知手段と、前記フットレストを前後方向に移動するフットレスト移動手段とを備え、前記歯科用治療椅子を倒状態にした時、前記安頭台引き出し長さ検知手段が検知した前記安頭台の引き出し長さに応じて、前記フットレストの引き出し長さを調整可能にしたことを特徴とするものである。
【００１０】
請求項３の発明は、請求項１又は２に記載の発明において、前記フットレスト移動手段は、前記フットレストと一体のフットレスト基板と、該フットレスト基板を前後方向に摺動可能に支持するレールと、前記フットレスト基板を前記レールに沿って前後に移動するシリンダを備えたことを特徴とするものである。
【発明の効果】
【００１１】
本発明によると、歯科用治療椅子を倒状態にした時、背の高い患者でも足先がフットレストからはみ出すことなく、フットレストの上に置くことができる（患者の足先がサポートされる）ので、患者の疲労感を軽減することができる。
【図面の簡単な説明】
【００１２】
【図１】本発明による歯科用治療椅子の動作例を説明するための要部概略構成図である。
【図２】フットレスト移動手段を説明するための概略構成図である。
【図３】フットレスト基板の移動制御を説明するための機能ブロック図である。
【図４】歯科用治療椅子の操作スイッチの例を示す図である。
【図５】安頭台引き出し長さ調整手段を説明するための概略構成図である。
【図６】本発明が適用される歯科用治療椅子の一例を説明するための要部概略構成図である。
【図７】従来の歯科用治療椅子の側面概略図である。
【発明を実施するための形態】
【実施例１】
【００１３】
図１は、本発明による歯科用治療椅子の動作例を説明するための要部概略構成図で、本発明の歯科用治療椅子１０は、フットレスト移動用のスイッチを備える。前記スイッチは、前方移動用スイッチ（ボタン式）、後方移動用スイッチから構成され、例えば、リモコン１７に設けられている。治療椅子１０を倒状態にした時、患者、術者、アシスタントにより、リモコン１７の前方移動用スイッチが操作されると、フットレスト１５を前方（矢印Ｅ方向）に移動（調整）し、リモコン１７の後方移動用スイッチが操作されると、フットレスト１５を後方（矢印Ｅ方向とは逆方向）に移動する。
【００１４】
図１では、リモコン１７にフットレスト移動用のスイッチが設けられている例を示しているが、治療椅子１０に患者用肘掛けがある場合には、前記スイッチを前記患者用肘掛けに設けてもよい。また、前記スイッチを、図４に示す術者用に設けられた治療椅子１０の操作スイッチパネルに設けてもよい。前記スイッチは、例えば、ボタン式でもよいし、スライド式でもよい。
【００１５】
このようにすることで、歯科用治療椅子を倒状態にした時、背の高い患者でも足先がフットレストからはみ出すことなく、足先をフットレストの上に置くことができる。その結果、患者の疲労感を大幅に軽減できる。
【００１６】
図２は、フットレスト１５を前後方向に移動するフットレスト移動手段を説明するための概略構成図（全体構成は、図１と同じ）で、図中、２０はレッグレスト１４の最下端に設けられたレッグレスト基板、３０はフットレスト１５と一体のフットレスト基板である。起状態の歯科用治療椅子１０においては、レッグレスト１４は、図２（Ａ）に示す状態であり、倒状態の治療椅子１０においては、レッグレスト１４は、図２（Ｂ）に示す状態である。
【００１７】
レッグレスト基板２０には、フットレスト基板３０を摺動案内するレール２１が設けられており、フットレスト基板３０にはレール２１と係合して該レールに沿って移動する摺動部３１が設けられており、図２（Ａ）に示す状態（フットレスト１５が前方に移動していない状態）と、図２（Ｂ）に示す状態（フットレスト１５が前方に最大移動している状態）との間で、移動可能となっている。
【００１８】
レッグレスト基板２０は、後方に延長する延長部（好ましくは、患者や術者から構造が見えにくいスピットン設置側に設けられる）２２を有し、この延長部２２上にシリンダ４０のシリンダ部４１の一端が回動可能に固定され、シリンダ４０のピストン部４２の一端がフットレスト基板３０に回動可能に固定されている。
【００１９】
従って、ピストン部４２を矢印Ｆ方向に駆動（伸長駆動）することによって、フットレスト基板３０をレッグレストの前方（矢印Ｅ方向）に移動することができる。また、ピストン部４２を矢印Ｆ方向とは逆方向に駆動（収縮駆動）することによって、フットレスト基板３０をレッグレストの後方（矢印Ｅ方向とは逆方向）に移動することができる。シリンダ４０として、例えば、エアーシリンダ、電動シリンダを使用することができる。
【００２０】
図３は、本発明による歯科用治療椅子において実行されるフットレスト基板３０を前後方向に調整（移動）する制御を説明するための機能ブロック図で、図中、５１は操作手段、５２は制御手段である。なお、安頭台１１、バックレスト１２等の歯科用治療椅子１０の構成部品については省略している。
【００２１】
操作手段５１は、図１に示したリモコン１７や、歯科用治療椅子１０のバックレスト１２の起倒等を指示する図４に示すような術者用の操作スイッチパネルから構成される。図４のスイッチＳ１，Ｓ２は、治療椅子１０を起状態，倒状態にするものである。スイッチＳ３，Ｓ４は、フットレスト基板３０（フットレスト１５）を前後方向に移動させるものである。スイッチＳ５，Ｓ６は治療椅子１０を上下動させるものであり、スイッチＳ７，Ｓ８は治療椅子１０を傾動させるものである。
【００２２】
制御手段５２は、操作手段５１の制御を実行すると共に、歯科用治療椅子１０を倒状態にした時、スイッチＳ３が押されている時間に応じて、シリンダ４０のピストン部４２を伸長駆動（図２に示す矢印Ｆ方向にピストン部を伸長）して、フットレスト基板３０を前方に移動する。また、歯科用治療椅子１０を倒状態にした時、スイッチＳ４が押されている時間に応じて、シリンダ４０のピストン部４２を収縮駆動（図２に示す矢印Ｆ方向とは逆方向にピストン部を収縮）して、フットレスト基板３０を後方に移動する。
【００２３】
本発明によると、歯科用治療椅子を倒状態にした時、フットレスト移動用のスイッチを操作することにより、フットレストが前後方向に移動するので、背の高い患者でも足先がフットレストからはみ出すことがなく、足先をフットレストの上に置くことができる。その結果、患者の疲労感を大幅に軽減できる。
【実施例２】
【００２４】
実施例１で説明した歯科用治療椅子１０は、倒状態の時、スイッチ操作により、フットレスト１５を前後方向に調整可能にしたが、安頭台１１の引き出し長さに応じて、フットレスト１５の引き出し長さを調整可能（フットレスト１５を前後方向に調整可能）にしてもよい。
【００２５】
背の高い患者が治療椅子１０に腰掛けると、術者やアシスタントが、標準身長の患者用にセットされている位置（通常状態位置）から安頭台１１を引き出し、安頭台１１の位置を患者の頭の位置に合わせる。また、背の高い患者は、足が長い。そこで、実施例２で説明する治療椅子１０は、倒状態の時、安頭台１１の引き出し長さに応じて、フットレスト基板３０（フットレスト１５）の引き出し長さ（前後方向の移動量）を制御する。
【００２６】
図５は、バックレスト１２に設けられた安頭台１１の引き出し長さを調整する安頭台引き出し長さ調整手段を説明するための概略構成図である。安頭台１１は、基台６１に取り付けられスライド部６２に沿って矢印Ｇ方向に移動可能であり、例えば、術者やアシスタントが安頭台１１を矢印Ｇ方向に移動させ安頭台１１の引き出し長さを調整する。なお、操作スイッチ（図示しない）を操作することにより自動的に安頭台１１を矢印Ｇ方向に移動させてもよい。
【００２７】
また、スライド部６２に、コンプリング６３と共にエンコーダ６４が取り付けられている。そして、安頭台１１の基台６１には、コンプリング６３のバネ６３ａの端部が取り付けられている。コンプリング６３は、安頭台１１の引き出し長さを調整した状態を保持（維持）する機能を備えている。
安頭台１１が矢印Ｇ方向に移動すると、コンプリング６３におけるバネ６３ａの巻き取り量が変化する。エンコーダ６４は、この巻き取り量の変化を検知することにより、安頭台１１の引き出し長さを検知する手段（安頭台引き出し長さ検知手段）として機能する。
【００２８】
以下の説明では、安頭台１１は、バックレスト１２に対して通常の状態（標準身長の患者用）にセットされているとする。
術者等が安頭台１１を引き出すと、エンコーダ６４が検知した安頭台１１の引き出し長さに応じて、図３の制御手段５２は、歯科用治療椅子１０を倒状態にした時、フットレスト基板３０（フットレスト１５）の引き出し長さを調整する。
【００２９】
例えば、制御手段５２は、歯科用治療椅子１０を倒状態にした時、エンコーダ６４が検知した安頭台１１の引き出し長さが所定値以上になったことを検知すると、前記引き出し長さが長くなるに従って、フットレスト基板３０の引き出し長さ（前方移動量）を大きく制御する。前記所定値としては、例えば、安頭台１１が通常の状態にセットされているときの引き出し長さとすることができる。
【００３０】
なお、安頭台１１が通常の状態又は該通常の状態よりも縮んでセットされている場合には、制御手段５２は、図２（Ａ）に示す状態（フットレスト１５が前方に移動していない状態）になるように、フットレスト基板３０引き出し長さを調整する。
【００３１】
本発明によると、歯科用治療椅子を倒状態にした時、安頭台の引き出し長さ（患者の身長）に応じて、フットレストの引き出し長さが自動調整されるので、背の高い患者でも足先をフットレストの上に置くことができる。その結果、患者の疲労感を大幅に軽減できる。
【符号の説明】
【００３２】
１０…歯科用治療椅子、１１…安頭台、１２…バックレスト、１３…コンターシート、１４…レッグレスト、１５…フットレスト、１６…基台、１７…リモコン、２１…基台、２２…スライド部、２３…コンプリング、２３ａ…バネ、２４…エンコーダ、２０…レッグレスト基板、２１…レール、２２…延長部、３０…フットレスト基板、３１…摺動部、４０…シリンダ、４１…シリンダ部、４２…ピストン部、５１…操作手段、５２…制御手段、６１…基台、６２…スライド部、６３…コンプリング、６３ａ…バネ、６４…エンコーダ、Ｓ１〜Ｓ８…スイッチ。
【図１】
2011229715.tif 000003
【図２】
2011229715.tif 000004
【図３】
2011229715.tif 000005
【図４】
2011229715.tif 000006
【図５】
2011229715.tif 000007
【図６】
2011229715.tif 000008
【図７】
2011229715.tif 000009